(57)【要約】【課題】  周囲の皿、布等を汚すことなく簡単にティーバッグの水分を切ることができ、且つティーバッグの置く場所を提供することができる使い捨て用のティーバッグを提供する。【解決手段】  ティーバックは、トレイ部１、袋部２、吸水シート部３、茶葉４及び接着部５等から構成される。トレイ部１は、接着部５を介して、即席用の茶葉４を内在させる袋部２と接合されている。又、トレイ部１には、袋部２と接する側の表面の一部又は全面に吸水シート部３が貼付されている。【選択図】    図１
2006014844.tif 000002
【特許請求の範囲】
【請求項１】
茶葉を内包し且つ水分を透過させることができる袋部と、
前記袋部と結合された、前記袋部に含まれる水分を受け止めるトレイ部
とを備えることを特徴とするティーバッグ。
【請求項２】
前記トレイ部は、前記茶葉より出る水分を吸収する吸水シート部を備えることを特徴とする請求項１に記載のティーバッグ。
【請求項３】
前記トレイ部は、前記袋部を内側に内包するように折り畳み可能であることを特徴とする請求項１又は２に記載のティーバッグ。
【請求項４】
前記トレイ部の少なくとも１つ以上の辺は、前記袋部に含まれる水分の漏れを防止する為に前記袋部側に向かって折り曲げられることを特徴とする請求項１乃至３のいずれか１つに記載のティーバッグ。
【請求項５】
前記トレイ部の一辺を中央部で折り曲げて折り曲げ点の両側の部分を突き合わせることにより円錐状の端末部を形成すると共に、前記一辺と対向する辺と前記端末部の間の部分を前記端末部に向かって曲率半径が連続的に減少する断面円弧状に形成することを特徴とする請求項１乃至３のいずれか１つに記載のティーバッグ。
【請求項６】
前記袋体は、立体形状であることを特徴とする請求項１乃至５のいずれか１つに記載のティーバッグ。
【発明の詳細な説明】
【技術分野】
【０００１】
本発明は、茶、コーヒー等の嗜好飲料を即席で抽出する為のティーバッグに関するものである。
【背景技術】
【０００２】
従来、使い捨て用の茶等は紐付きのティーバッグとして市場に出回っている（例えば、非特許文献１参照。）。これは、茶葉が紙製の不織布やポリエステルメッシュ等の袋に入れられ、茶葉袋とつまみ部の間が紐で結び付けられているものである。
【非特許文献１】意匠登録第７８７４００号公報
【発明の開示】
【発明が解決しようとする課題】
【０００３】
しかしながら、従来の紐付きティーバッグを使用した場合、使用後の茶色の水分を含んだティーバッグを置く適当な場所が無かった。水分を含んだティーバッグをソーサーの上に置いた場合、水分がソーサーの凹部に溜まってカップの底に付着し、そのカップを移動させることにより衣服やテーブルクロス等を汚してしまうことがあった。又、ティーバッグを専用の小皿の上に置く場合であっても、余分な洗い物を増やす結果になっていた。
【０００４】
本発明は、上記問題点に鑑みてなされたものであり、使用後のティーバッグによって周囲の皿、布等を汚すことを防ぎ、使用後のティーバッグを置く場所を提供することができる使い捨て用のティーバッグを提供することを目的とする。
【課題を解決するための手段】
【０００５】
上述した従来の技術の課題を解決するため、本発明の第１の特徴は、（イ）茶葉を内包し且つ水分を透過させることができる袋部と、（ロ）袋部と結合された、袋部に含まれる水分を受け止めるトレイ部を備えるティーバッグであることを要旨とする。
【０００６】
本発明の第１の特徴は、（ハ）トレイ部は、茶葉より出る水分を吸収する吸水シート部を備え、（ニ）トレイ部は、袋部を内側に内包するように折り畳み可能であり、（ホ）トレイ部の少なくとも１つ以上の辺は、袋部に含まれる水分の漏れを防止する為に袋部側に向かって折り曲げられ、（ヘ）トレイ部の一辺を中央部で折り曲げて折り曲げ点の両側の部分を突き合わせることにより円錐状の端末部を形成すると共に、一辺と対向する辺と端末部の間の部分を端末部に向かって曲率半径が連続的に減少する断面円弧状に形成し、（ト）袋体は、立体形状であることを加えても良い。
【発明の効果】
【０００７】
本発明のティーバッグによれば、使用後のティーバッグによって周囲の皿、布等を汚すことがなく、且つ使用後のティーバッグを置く場所を提供することができ、ユーザの利便性を向上させることができる。
【発明を実施するための最良の形態】
【０００８】
以下、本発明の実施の形態に係るティーバッグについて説明する。尚、本発明の実施の形態において使用される材料及び作成手法等は、一例であり、本発明はこれらに限定されるものでないことは勿論である。
【０００９】
（ティーバッグ）
本発明の実施の形態に係るティーバッグは、図１に示すように、トレイ部１、袋部２、吸水シート部３、茶葉４及び接着部５等から構成される。
【００１０】
トレイ部１は、使用済み茶葉４より出る水分の受け皿として使用する。材質としては、紙、ポリプロピレン等の可撓性のものが好適である。トレイ部１の厚さについては、トレイ部の型抜き、型押しの際及び熱シーラーのかかり具合について発明者が実験したところ、厚さ０．２ｍｍが好適であることが分かった。トレイ部１は、接着部５を介して、即席用の茶葉４を内在させる袋部２と接合されている。又、トレイ部１には、袋部２と接する側の表面の一部又は全面に吸水シート部３が貼付されている。
【００１１】
袋部２は、茶葉を内包させる為の袋であり、カップ内のお湯等に茶葉の成分が拡散され易いように、細かい網目状のものを使用する。材質としては紙製の不織布、ポリエステルメッシュ等の可撓性のものが好ましい。尚、袋部内の茶葉の対流効果を向上させる為に、袋部２を立体的形状、例えば図２に示すような三角柱、更に三角錐及び円柱等に製造しても構わない。
【００１２】
吸水シート部３は、使用後の茶葉４から出る水分を吸収する為のシートである。吸水シート部３に適したシートについては、発明者が以下のシート吸水性実験を行なった。実験には、トレイサイズ５．５×８．５ｍｍ、マグカップ容量２００ｃｃ及び種々のシートを用いた。実験手法としては茶葉４が２ｇ入った袋部２を熱湯の入ったマグカップに入れて３分間蒸らし、その後約１４ｇの水分を含んだ茶葉４を種々のトレイの上に置いた。これにより図３に示す実験結果が得られ、トレイメイトプラスが最も好適であることが分かった。尚、吸水シート部３はトレイ部１全体に接着されていても、袋部２が接する箇所のみに接着されていても構わない。
【００１３】
茶葉４は、紅茶、コーヒー、日本茶、中国茶等の全ての即席用茶葉を指す。
【００１４】
接着部５は、トレイ部１と袋部２を接合する部であり、その接着方法としては同素材の接着、例えばトレイ部１がポリプロポレン、袋部２がポリエステルメッシュ等である場合、熱シーラーが好適である。異素材の接着、例えばトレイ部１が紙、袋部２がポリエステルメッシュの場合、トレイ部１がポリプロピレン、袋部２が不織布等である場合、例えば化学糊、レーザー等にて行なう。
【００１５】
（ティーバッグの作成方法）
次に、本発明の実施の形態に係るティーバッグの作成方法について図４を用いて説明する。
【００１６】
（ａ）先ず図４（ａ）のように、トレイ部１の上に吸水シート部３を合わせる。トレイ部１にはトレイメイトプラス、吸水シート部３にはポリプロピレンシートが好適である。尚、吸水シート部３はトレイ部１と同じ大きさか若しくはそれより小さくても構わない。最低限、吸水シート部３が袋部２内の茶葉４の位置に接するようにすればよい。
【００１７】
（ｂ）次に図４（ｂ）のように、トレイ部１と吸水シート部３を接着する。この際予めトレイ部１の接着部５となる部分に切込みを入れ、その切り込みに吸水シート部３を差し込み固定する。尚、吸水シート部３を接着部５を含まない位置に設ける場合にはこの切り込み処理の必要はない。
【００１８】
この後、トレイ部１と吸水シート部３の少なくとも２辺以上を接着する。トレイメイトプラスとポリプロピレンシートを用いる場合には熱シーラーにて接着するのが好適である。
【００１９】
接着後、トレイ部１の４辺若しくは接着部５側の辺を除く３辺を吸水シート部３側に向かい谷折線６に沿って谷折りする。この谷折り処理は、茶葉４より出る水分がトレイ部１より溢れることを防ぐ為に行なわれるが、吸水シート部３の吸水性能によっては省略することも可能である。
【００２０】
尚、谷折り部７ａ、７ｂの幅はトレイ部１と袋部２の大きさによって決定される。少なくとも「袋部２の幅＋谷折り部分の幅×２≦トレイ部１の幅」であればよく、この式を満たす谷折り部７ａ、７ｂの幅と近似値の幅を谷折り部７ｃにも設ければよい。
【００２１】
（ｃ）最後に図４（ｃ）のように、茶葉４を内包した袋部２の入り口部分を接着部５の切り込み部分に挿入させ、茶葉４が出ないように接着する。袋部２を完全に密封した後切り込み部分に挿入しても良い。
【００２２】
袋部２はポリエステルメッシュであることが好ましく、この場合、接着部５であるトレイメイトプラス、ポリプロピレンシート及びポリエステルメッシュは同素材である為、熱シーラーで固定させることができる。
【００２３】
（使用状態）
上記の方法にて作成されたティーバッグは、トレイ部１を把手部として、袋部２をお湯の入ったカップ内で回転させ、茶葉４の成分の拡散を促す他、図５（ａ）のようにカップ周壁を袋部２とトレイ部１で挟み込んで、カップに保持させたり、図５（ｂ）のように、袋部２をカップ内に入れ、トレイ部１をカップの開口部を覆う蓋の代わりに使用しても構わない。
【００２４】
（変更例１）
本発明の実施の形態にかかるティーバッグは、図６に示すように袋部２をトレイ部１の内側に内包した状態で折り畳むことも可能である。図６（ａ）はティーバッグを折り畳んだ状態、図６（ｂ）はティーバッグを展開した状態を示す。
【００２５】
このように折り畳むことにより外部より袋部２が見えない為見栄えがよく、又茶葉４を密封等すると、外気に触れない為衛生的であり且つ茶葉成分の変質を防ぐことができる。
【００２６】
（変更例２）
本発明の実施の形態にかかるティーバッグは、図７に示すようにトレイ部１の接着部５ａ側の辺の中央より、吸水シート部３が向かい合うように谷折りし、袋部２の一端をこの谷折りに挟み込んで接着して製造することも可能である。図７（ａ）は変更例２のティーバッグの斜視図、図７（ｂ）は変更例２のティーバッグの上面図を示す。
【００２７】
このように製造することにより、袋部１は、トレイ部１及び吸水シート部３に挟み込まれて接着部５ａにて一度に接着することができ、図１のティーバッグと比較して、上述した図４（ｂ）の接着部５の切り込み処理が不要となる。更に、図７（ａ）のように接着部５ａで接着することにより、全体的に吸水シート部３に向かって丸みを帯びる構造となり、茶葉４の水分がトレイ部１の外へ向かいにくい形状となるため、上述した図４（ｂ）の谷折り処理が不要となる。
【００２８】
（変更例３）
尚、本発明の実施の形態のティーバッグ（図１参照）及び変更例１，２のティーバッグでは袋部２が縦長の長方形で直接接着部５にてトレイ部１と接着されているが、市場に出回っているティーバッグのように紐付きの袋体を用いても構わない（図８参照）。
【００２９】
（その他の実施の形態）
本発明の実施の形態のティーバッグ及び変更例１〜３のティーバッグにおいては、トレイ部１に吸水シート部３を接着することを前提に説明されているが、トレイ部１自身に吸水能力がある素材を使用する場合、例えば、トレイ部１の袋部２側の面はある程度の硬度のある不織布を用い、反対の面に漏れを防ぐ為のラミネート加工する等しても構わない。
【産業上の利用可能性】
【００３０】
本発明はカップ用のティーバッグのみならず、紅茶、コーヒー、日本茶、中国茶等の即席用茶葉にて飲料をつくる際において使用される全ての器において使用可能である。例えば、ポット、ヤカン、鍋等においても各々の大きさに適するティーバッグを作成し、同様の効果を得ることができる。
【図面の簡単な説明】
【００３１】
【図１】本発明の実施の形態に係るティーバッグの構造図である。
【図２】本発明の実施の形態に係るティーバッグの袋部を変更した図である。
【図３】吸水シート部の実験結果を示す表である。
【図４】本発明の実施の形態に係るティーバッグの作成工程を示す図である。
【図５】ティーバッグの使用状態を示す図である。
【図６】本発明の実施の形態に係るティーバッグの変更例を示す図である。
【図７】本発明の実施の形態に係るティーバッグの変更例を示す図である。
【図８】本発明の実施の形態に係るティーバッグのその他の実施の形態を示す図である。
【符号の説明】
【００３２】
１…トレイ部
２…袋部
３…吸水シート部
４…茶葉
５、５ａ…接着部
６…谷折線
７ａ、７ｂ、７ｃ…谷折り部
【図１】
2006014844.tif 000003
【図２】
2006014844.tif 000004
【図３】
2006014844.tif 000005
【図４】
2006014844.tif 000006
【図５】
2006014844.tif 000007
【図６】
2006014844.tif 000008
【図７】
2006014844.tif 000009
【図８】
2006014844.tif 000010